(57)【特許請求の範囲】
【請求項１】
支柱と、該支柱の上部に設けられた骨組み部材と、該骨組み部材に取付けられる天井体及び屋根体とを有する簡易構築物であって、該天井体は、少なくとも２本の連結杆と、該連結杆の両端を突出した状態で連結杆に設けられた複数の天井板とからなる天井ユニットで形成され、天井ユニットと骨組み部材との間を覆う端部カバーとを有し、該骨組み部材は、連結杆の突出した係合突出部を載置する載置片を具備し、該連結杆の係合突出部を骨組み部材の下方より載置片に載置して天井ユニットを骨組み部材に取付け、次いで天井ユニットと骨組み部材との間に端部カバーを取付けることを特徴とする簡易構築物の天井形成方法。
【発明の詳細な説明】
【技術分野】
【０００１】
本発明は、屋根体と天井体とを有する簡易構築物であって、簡易構築物の設置スペースの周囲に余裕が無くとも、簡単に設置することができる簡易構築物の天井形成方法に関するものである。
【背景技術】
【０００２】
従来、車庫、バス停の停留所、遊歩道等に設置される簡易構築物は、屋根体のみを設けたもの（特許文献１参照）、また、屋根体の下面に天井体を設けたものがあり、天井体を設けた簡易構築物は、屋根体の裏面や桁、梁等の骨組みが遮蔽されるので、高級感があり外観上好ましいものである。
【０００３】
ところで、このような屋根体と天井体とを有する簡易構築物を設置するには、まず、支柱、桁、正面水切り及び梁を組み上げた後、桁、正面水切り及び梁に天井体を取付け、その後、屋根体を取付けるものであった。
【０００４】
【特許文献１】特開２００１−９８７１１号公報
【発明の開示】
【発明が解決しようとする課題】
【０００５】
しかしながら、上述した従来の屋根体と天井体とを有する簡易構築物においては、まず、天井体を取付けるのであるが、天井体を取付けるには、天井体の上方から桁、正面水切り及び梁に螺子止めにより行なっていた。そして、天井体を取付けた後、設置スペースの周囲に組み上げた足場に沿って屋根体を天井体の上方に形成するものであった。
【０００６】
したがって、簡易構築物を設置するスペースの周囲に余裕が無い場合、例えば、設置スペースに隣接して建築物があったり、壁があったりした場合、足場を組み上げるスペースが無いので、天井体の上から作業を行なうことが困難で、簡易構築物を設置することができないものであった。したがって、簡易構築物を設置する場所に制限があった。
【０００７】
本発明は、以上の問題点を解決し、簡易構築物の設置スペースの周囲に余裕が無い場合であっても、屋根体と天井体とを有する簡易構築物を設置することができる簡易構築物の天井形成方法を提供することを目的とする。
【課題を解決するための手段】
【０００８】
本発明者は、上記問題点について鋭意検討し、天井体を取付ける前であれば設置スペースの周囲に足場を組み上げることなく、設置スペースの空間を利用して屋根体を形成出来ることに着目し、さらに、屋根体を取付けた後であっても、天井体を下方から取付けることが出来る手段について鋭意検討し、本発明を完成させたものである。
【０００９】
すなわち、請求項１記載の簡易構築物の天井形成方法は、支柱と、該支柱の上部に設けられた骨組み部材と、該骨組み部材に取付けられる天井体及び屋根体とを有する簡易構築物であって、該天井体は、少なくとも２本の連結杆と、該連結杆の両端を突出した状態で連結杆に設けられた複数の天井板とからなる天井ユニットで形成され、天井ユニットと骨組み部材との間を覆う端部カバーとを有し、該骨組み部材は、連結杆の突出した係合突出部を載置する載置片を具備し、該連結杆の係合突出部を骨組み部材の下方より載置片に載置して天井ユニットを骨組み部材に取付け、次いで天井ユニットと骨組み部材との間に端部カバーを取付けることを特徴としている。
【発明の効果】
【００１１】
請求項１記載の簡易構築物の天井形成方法においては、骨組み部材に載置片が形成されているので、天井ユニットの連結杆を下方から差し込むことにより係合突出部を載置片に載置させることができる。したがって、簡易構築物の設置スペース内において天井ユニットを下方から骨組み部材に取付けることができる。その結果、屋根体を取付けた後であっても、天井体を取付けることができるので、簡易構築物を設置する際、最初に屋根体を取付けることができる。また、屋根体を取付ける際、支柱と骨組み部材しか設置されていないので、これらの間から屋根体を形成することができる。したがって、簡易構築物の設置スペースの周囲に足場を組み上げる余裕が無くとも、屋根体を取付けることができる。以上のように、簡易構築物の設置スペースのみを使用して、屋根体及び天井体を有する簡易構築物を設置することができる。
【００１２】
さらに、端部カバーが、天井ユニットと骨組み部材との間を覆っているので、連結杆が露出するのを防止することができ、外観上好ましいものである。また、天井ユニットと骨組み部材との隙間から雨水、埃等が天井体と屋根体との間に入るのを防止することができる。
【００１３】
また、複数の天井ユニットで天井体を形成した場合、天井ユニットが破損等により修理が必要な場合、天井ユニットを交換するだけでよく、修理作業が簡単で、かつ経済的なものである。
【発明を実施するための最良の形態】
【００１４】
本発明の簡易構築物においては、天井体は、少なくとも２本の連結杆と、該連結杆の両端を突出した状態で連結杆に設けられた複数の天井板とからなる天井ユニットで形成されている。連結杆の突出した係合突出部は、載置片に載置した際、下方から螺子等の固着手段で載置片に固着される。天井体は、１の天井ユニットで形成されていても、複数の天井ユニットで形成されていれもよく、複数の天井ユニットで形成した場合は、破損等した天井ユニットのみを交換すればよいので、天井体の修理が簡単で、かつ経済的なものである。
【００１５】
骨組み部材の載置片は、連結杆の係合突出部を載置できるものであれば、その形状は特に限定されないが、端部カバーを取付け易い形状にすることが好ましい。また、端部カバーは、正面水切りと天面との間、梁と天面との間、桁と天面との間に生じる隙間を遮蔽するものであり、端部カバーを取付ける態様としては、正面水切りと梁とに連結杆を取付ける場合は、正面水切り及び梁の載置片に取付けるとともに、桁に直接取付けるものであり、対向する桁に連結杆を取付ける場合は、桁の載置片に取付けるとともに、正面水切り及び梁に直接取付けるものである。
【００１６】
骨組み部材は、支柱上部に設けられて天井ユニットを取付けるものであり、具体的には、桁、正面水切り、梁がある。したがって、天井ユニットを骨組み部材に取付ける態様としては、対向する正面水切り間に天井ユニットを取付ける態様、対向する桁間に天井ユニットを取付ける態様、正面水切りと梁との間に天井ユニットを取付ける態様、梁と梁との間に天井ユニットを取付ける態様がある。
【００１７】
本発明の簡易構築物は、車庫、バス停の停留所、遊歩道等に利用することができる。
【００１８】
本発明による簡易構築物の天井形成方法の一実施形態を図面を参照して説明する。図１は簡易構築物の平面図、図２は簡易構築物の正面図、図３は簡易構築物の底面図、図４は簡易構築物の天井ユニットの底面図、図５は図４中矢印Ａ方向から見た拡大図、図６は簡易構築物の天井ユニットの取付け部分の分解斜視図、図７は図１中Ｄ−Ｄ部のＢ−Ｂ線拡大断面図、図８は図７における取付け前の状態を示す図、図９は図１中Ｅ−Ｅ部のＣ−Ｃ線拡大断面図、図１０は図９における取付け前の状態を示す図である。
【００１９】
図１〜図３において、１０は支柱で、この支柱１０に桁２０が固定されており、両桁２０には、両側端において正面水切り３０が固定されるとともに、中間部分において所定間隔で複数の梁４０が固定されており、桁２０と正面水切り３０とで全体が長方形状の骨組みが形成されるとともに、梁４０により長方形状に区分された骨組みが形成されている。そして、桁２０、正面水切り３０及び梁４０からなる骨組みに屋根体５０が設けられるとともに、屋根体５０の下方において複数の天井ユニット６０からなる天井体が設けられている。
【００２０】
天井ユニット６０は、図４及び図５に示すように、連結杆６１と、この連結杆６１に固定された天面６２とからなり、天面６２は多数の天井板６３から構成され、各天井板６３を一方の側端において螺子６４により連結杆６１に固定している。また、天井板６３は、螺子６４により固定される側端に断面「コ」字状をした嵌合溝６５が形成されるとともに、反対側の側端に嵌合片６６が形成されており、嵌合溝６５に嵌合片６６を嵌合させることにより、隣り合う天井板６３間を連結している。
【００２１】
以上のように天井ユニット６０は、連結杆６１に多数の天井板６３を固着して構成されているが、連結杆６１の両端部は、天井板６３が固着されておらず、天井板６３から突出した係合突出部６７となっている。そして、この係合部６７を正面水切り３０及び梁４０に係合させることにより、天井ユニット６０を取付けている。すなわち、図６及び図７に示すように、正面水切り３０は、内側面に載置片３１が形成されており、また、梁４０の下面にも載置片４１が形成されおり、これら載置片３１及び載置片４１の上面に連結杆６１の係合突出部６７が載置されている。そして、螺子３２により載置片３１と係合突出部６７とを固着するとともに、同様に螺子４２によって載置片４１と係合突出部６７とを固着している。これにより、天井ユニット６０が正面水切り３０と梁４０との間に取付けられている。
【００２２】
また、正面水切り３０の載置片３１と天井板６３には端部カバー７０が取付けられ、連結杆６１が露出するのを防止している。すなわち、端部カバー７０の一端を天井板６３の嵌合溝６５に係合させるとともに、他端を正面水切り３０の載置片３１の下面に形成した被嵌合部に係合させることにより、正面水切り３０と天面ユニット６３との間に端部カバー７０を取付けている。
【００２３】
さらに、梁４０の載置片４１と天井板６３にも端部カバー７０が取付けられて、連結杆６１が露出するのを防止している。すなわち、梁４０に隣接して設けられた天井板６３には、嵌合溝６５の反対側にもカバー用嵌合溝６８が形成されており、このカバー用嵌合溝６８に端部カバー７０の一端を係合させるとともに、他端を梁４０の載置片４１の下面に形成した被嵌合部に係合させることにより、梁４０と天井板６３との間に端部カバー７０を取付けている。
【００２４】
そして、天井ユニット６０を正面水切り３０及び梁４０に取付けるには、図８に示すように、まず、係合突出部６７を正面水切り３０の載置片３１上に斜めに押込んで載置した後、他方の係合突出部６７を梁４０の載置片４１に載置し、螺子３２及び螺子４２でそれぞれ固着する。そして、載置片３１と天面ユニット６３の嵌合溝６５との間に端部カバー７０を取付けるとともに、載置片４１と天面ユニット６３の嵌合溝６７との間に端部カバー７０を取付ける。
【００２５】
以上のように、天井ユニット６０は正面水切り３０及び梁４０に固着されており、桁２０には端部カバー８０が設けられ、天井ユニット６０と桁２０との隙間を塞いでいる。すなわち、図９に示すように、桁２０は、下面に嵌合溝２１が形成されており、この嵌合溝２１に端部カバー８０の一端が嵌合するとともに、他端が天井板６３の端部に被さっていることにより、桁２０と天井板６３間の隙間を塞いでいる。端部カバー８０を取付けるには、図１０に示すように、天井体６０を正面水切り３０と梁４０に固着した後、桁２０と天面ユニット６３間に取付けるものである。
【００２６】
なお、梁４０と梁４０との間にも、正面水切り３０と梁４０との間と同様に、天井体６０が取付けられている。
【図面の簡単な説明】
【００２７】
【図１】本発明による簡易構築物の一実施形態の平面図
【図２】本発明による簡易構築物の正面図
【図３】簡易構築物の一実施形態の底面図
【図４】本発明による簡易構築物の一実施形態の天井体の底面図
【図５】図４中矢印Ａ方向から見た拡大図
【図６】本発明による簡易構築物の一実施形態の天井体の取付け部分の分解斜視図
【図７】図１中Ｄ−Ｄ部のＢ−Ｂ線拡大断面図
【図８】図７における取付け前の状態を示す図
【図９】図１中Ｅ−Ｅ部のＣ−Ｃ線拡大断面図
【図１０】図９における取付け前の状態を示す図
【符号の説明】
【００２８】
１０  支柱
２０  桁
３０  正面水切り
３１  載置片
４０  梁
４１  載置片
５０  屋根体
６０  天井ユニット
６１  連結杆
６３  天井板
６７  係合突出部
７０  端部カバー
８０  端部カバー
【図１】
0004723404.tif 000002
【図２】
0004723404.tif 000003
【図３】
0004723404.tif 000004
【図４】
0004723404.tif 000005
【図５】
0004723404.tif 000006
【図６】
0004723404.tif 000007
【図７】
0004723404.tif 000008
【図８】
0004723404.tif 000009
【図９】
0004723404.tif 000010
【図１０】
0004723404.tif 000011